(57)【要約】【課題】総重量が軽くなり、身体のサポート性にも優れる折り畳み式ベビーカーを提供する。【解決手段】チェア本体１と、自立移動可能な走行体３と、この走行体３とチェア本体１とを組み合わせ支持するフレーム部材２とを具えて成り、前記チェア本体１は、可撓シート部材でバケット状に形成されるものであり、上辺部１３と下辺部１４とを保形芯材２６ａ、２１ａで支持され前記上辺部１３の保形芯材２６ａが中央部が後方に退去するように湾曲して形成されている。また前記チェア本体１の上辺部１３は、背もたれフレーム２６の保形芯材２６ａに固定されるものであり、この背もたれフレーム２６は、全体が移動して傾倒角度自在に支持されることによりチェア本体１の背もたれ面１０Ｂの傾倒角度が調節可能であることを特徴とする。【選択図】　　　図１
2004114834.tif 000002
【特許請求の範囲】
【請求項１】
チェア本体と、自立移動可能な走行体と、この走行体とチェア本体とを組み合わせ支持するフレーム部材とを具えて成り、前記チェア本体は、可撓シート部材でバケット状に形成されるものであり、上辺部と下辺部とを保形芯材で支持され前記上辺部の保形芯材が中央部が後方に退去するように湾曲して形成されていることを特徴とする折り畳み式ベビーカー。
【請求項２】
前記チェア本体の側面部上縁は、シート部材上辺部と下辺部との間で緊張状態に設定されていることを特徴とする請求項１記載の折り畳み式ベビーカー。
【請求項３】
前記チェア本体の下辺部には面状ファスナが設けられており、下辺部を保形芯材に巻回した上でチェア本体の裏面に張設された面状ファスナに係着して固定するものであり、このチェア本体の下辺部の巻回位置を異ならせることによりチェア本体の座長が調節自在であることを特徴とする請求項１または２記載の折り畳み式ベビーカー。
【請求項４】
前記チェア本体には、上下段に二本のシートベルトが設けられ、このうち下部シートベルトは着座者の腰部を固定するものであって、前記チェア本体に対して固定され、一方、上部シートベルトは着座者の腹部から胸部に渡る適宜の個所を固定するものであって、背もたれ面の上下に開口された二本の調節スリットに挿入されて上下位置を選択自在に係止され、この上部シートベルトのチェア本体への係止は、左右の基端側に設けられた面状ファスナを、前記調節スリットへ差し通した後にチェア本体背面側に設けられた面状ファスナに対し係着することにより行われるものであり、更に上部シートベルトにおける左右のベルトの締結は、それぞれ先端に設けられた面状ファスナを互いに係着することにより行われることを特徴とする請求項１、２または３記載の折り畳み式ベビーカー。
【請求項５】
チェア本体と、自立移動可能な走行体と、この走行体とチェア本体とを組み合わせ支持するフレーム部材とを具えて成り、前記チェア本体の上辺部は、背もたれフレームの保形芯材に固定されるものであり、この背もたれフレームは、全体が移動して傾倒角度自在に支持されることによりチェア本体の背もたれ面の傾倒角度が調節可能であることを特徴とする折り畳み式ベビーカー。
【請求項６】
前記背もたれフレームは、門型に形成されたものであり、左右の縦フレーム部位にそれぞれ上下に係止ネジが固定されており、これら係止ネジがリクライニングアジャスト板の上下スライド溝及び段階係止溝に嵌挿されるものであり、下方の係止ネジは上下に長孔の上下スイライド溝に嵌挿され、上方の係止ネジは複数高さで且つ係止位置が前後方向に異なる係止溝を有する段階係止溝に嵌挿されることを特徴とする請求項５記載の折り畳み式ベビーカー。
【請求項７】
前記チェア本体は、可撓シート部材でバケット状に形成されるものであり、上辺部と下辺部とを保形芯材で支持され前記上辺部の保形芯材が中央部が後方に退去するように湾曲形成されていることを特徴とする請求項５または６記載の折り畳み式ベビーカー。
【発明の詳細な説明】
【０００１】
【発明の属する技術分野】
本発明は乳児や幼児あるいは歩行バランスや自立バランスを得ることに不自由を来している人等が利用するのに適した折り畳み式ベビーカーに関するものであって、特に着座部関連機構の改良に係るものである。
【０００２】
【発明の背景】
乳児や幼児あるいは足の歩行バランスや自立バランスを得ることに不自由を来している人等が利用するのに適したベビーカーは、現在では折り畳み自在の構成を有するものが殆どであり、着座部についても折り畳み格納に応じられるように構成されている（例えば、特許文献１参照。）。なお、成人が利用することを考慮すると「ベビーカー」の名称は必ずしも適切ではないものの、実質的に慣用されていることから、この用語を用いて説明するものである。ところで、着座部についてみると、この種のベビーカーでは折り畳み自在であることの要求を最重要課題としていることから、着座時の座り心地や機能については、最善のものが追求しきれていないとしても、そのこと自体止むを得ないとの一種の先入観があり、使用者側からみると、まだ改良の余地を感じさせるものであった。
特に体に障害のある幼児、児童等の中には、着座姿勢を正確に保持しておかねばならない等の要請もあるが、この要請の視点で従来型折り畳み式ベビーカーを見ると必ずしも満足できるものは少なかった。
【０００３】
具体的には例えばいわゆる二つ折りの折り畳みタイプのベビーカーについては、座面が硬い方が好ましいという人間工学的な考え方も一方にあり、そのものは前後方向には折り畳めるようにはなっているものの、それぞれの部材は比較的剛性を高く採るような傾向があり、このため着座者の体をすっぽりと包み込むような形状が追求されていない。
またいわゆる四つ折りの折り畳みタイプのベビーカーについては、コンパクトさを追求したものであるため、拡げたときに着座部がキャンバスチェア状に不定形に形成されるにとどまって、その座り心地までも追求はしきれていなかった。
【０００４】
また座り心地を決定するもう一つの決定要素であるリクライニング機構についてもその耐久性、強度の確保に過剰に意が払われ、結果的に重量増加をもたらしている。実際の使用状態を考慮すると、この種の折り畳み式ベビーカーを公共交通機関に持ち込む際、折り畳んで使用する機会が多く、しかもこの際、着座していた幼児等を更に抱き抱えた上でこの折り畳み式ベビーカーを持たなければならないため、総重量も重い従来型ベビーカーは、その点でも満足できなかった。
【０００５】
【特許文献１】
特開２００１−８８７１０号公報
【０００６】
【開発を試みた技術的課題】
本発明はこのような背景からなされたものであって、上記のような実際の使用者の要求に対応し得るような新規な構造の折り畳み式ベビーカーの開発を試みたものである。
【０００７】
【課題を解決するための手段】
すなわち請求項１記載の折り畳み式ベビーカーは、チェア本体と、自立移動可能な走行体と、この走行体とチェア本体とを組み合わせ支持するフレーム部材とを具えて成り、前記チェア本体は、可撓シート部材でバケット状に形成されるものであり、上辺部と下辺部とを保形芯材で支持され前記上辺部の保形芯材が中央部が後方に退去するように湾曲していることを特徴として成るものである。
この発明によれば、着座者が座るチェア本体が可撓シート部材のみで形成されているため、折り畳み式ベビーカーの総重量が軽くなる。更にチェア本体は、バケット状であるため、身体を包み込みサポート性に優れる。また特にチェア本体の上辺部の保形芯材中央部が後方に退去するように湾曲形成されているため、より身体の包み込みが強く、着座者の肩付近の支持にも優れる。
【０００８】
また請求項２記載の折り畳み式ベビーカーは、前記請求項１記載の要件に加え、チェア本体の側面部上縁は、シート部材上辺部と下辺部との間で緊張状態に設定されていることを特徴として成るものである。
この発明によれば、チェア本体全体の保形性を必要な部位で高め、もって着座者のサイドサポート性に優れる。
【０００９】
更に請求項３記載の折り畳み式ベビーカーは、前記請求項１または２記載の要件に加え、前記チェア本体の下辺部には面状ファスナが設けられており、下辺部を保形芯材に巻回した上でチェア本体の裏面に張設された面状ファスナに係着して固定するものであり、下辺部の巻回位置でチェア本体の座長が調節自在であることを特徴として成るものである。
この発明によれば、着座者の伸長に応じてチェア本体の座長を変更することが容易に行い得るものであり、着座者の体格に対応したバケット形状を形成できる。
【００１０】
更にまた請求項４記載の折り畳み式ベビーカーは、前記請求項１、２または３記載の要件に加え、前記チェア本体には、上下段に二本のシートベルトが設けられ、このうち下部シートベルトは着座者の腰部を固定するものであって、前記チェア本体に対して固定され、一方、上部シートベルトは着座者の腹部から胸部に渡る適宜の個所を固定するものであって、背もたれ面の上下に開口された二本の調節スリットに挿入されて上下位置を選択自在に係止され、この上部シートベルトのチェア本体への係止は、左右の基端側に設けられた面状ファスナを、前記調節スリットへ差し通した後にチェア本体背面側に設けられた面状ファスナに対し係着することにより行われるものであり、更に上部シートベルトにおける左右のベルトの締結は、それぞれ先端に設けられた面状ファスナを互いに係着することにより行われることを特徴として成るものである。
この発明によれば、上下段に二本のシートベルトが設けられるため、確実なサポートが行い得る。また上部シートベルトは、チェア本体に固定される基端部が面状ファスナによって係着されるものであるため、簡単で細かな高さ調節が可能である。更に上部シートベルトの締結は、それぞれ先端に設けられた面状ファスナを互いに係着することにより行われるものであるため、基端部の止め位置により上部シートベルトの長さが変わっても特別にベルトの長さ調節を行う必要がない。
【００１１】
更にまた請求項５記載の折り畳み式ベビーカーは、チェア本体と、自立移動可能な走行体と、この走行体とチェア本体とを組み合わせ支持するフレーム部材とを具えて成り、前記チェア本体の上辺部は、背もたれフレームの保形芯材に固定されるものであり、この背もたれフレームは、全体が移動して傾倒角度自在に支持されることによりチェア本体の背もたれ面の傾倒角度が調節可能であることを特徴として成るものである。
この発明によれば、複雑なリクライニングアジャスト機構を具えず、折り畳み式ベビーカーの総重量を軽くできる。
【００１２】
更にまた請求項６記載の折り畳み式ベビーカーは、前記請求項５記載の要件に加え、前記背もたれフレームは、門型に形成されたものであり、左右の縦フレーム部位にそれぞれ上下に係止ネジが固定されており、これら係止ネジがリクライニングアジャスト板の上下スライド溝及び段階係止溝に嵌挿されるものであり、下方の係止ネジは上下に長孔の上下スイライド溝に嵌挿され、上方の係止ネジは複数高さで且つ係止位置が前後方向に異なる係止溝を有する段階係止溝に嵌挿されることを特徴として成るものである。
この発明によれば、リクライニングアジャスト機構が極めてシンプルな構造であり、総重量を軽くできるとともに、安価な実施ができ、更に故障も生じにくい。
【００１３】
更にまた請求項７記載の折り畳み式ベビーカーは、前記請求項５または６記載の要件に加え、前記チェア本体は、可撓シート部材でバケット状に形成されるものであり、上辺部と下辺部とを保形芯材で支持され前記上辺部の保形芯材が中央部が後方に退去するように湾曲していることを特徴として成るものである。
この発明によれば、着座者が座るチェア本体が可撓シート部材のみで形成されているため、折り畳み式ベビーカーの総重量が軽くなる。更にチェア本体は、バケット状であるため、身体を包み込みサポート性に優れる。また特にチェア本体の上辺部の保形芯材中央部が後方に退去するように湾曲形成されているため、より身体の包み込みが強く、着座者の肩付近の支持にも優れる。
【００１４】
【発明の実施の形態】
以下本発明を図示の実施の形態に基づき説明する。図中符号Ａで示すものが本発明の折り畳み式ベビーカーであり、チェア本体１と、自立移動可能な走行体３と、この走行体３とチェア本体１とを組み合わせ支持するフレーム部材２とを具えて成る。なお本発明の折り畳み式ベビーカーＡは、複数タイプの大きさのものを提供し得るものであり、乳児の他、幼児や歩行バランスや自立バランスを得ることに不自由を来している人にも利用することが可能である。
以下、各部材について説明する。
【００１５】
まず上記フレーム部材２について説明する。フレーム部材２は、本体水平フレーム２１、手押しフレーム２２、脚部固定水平フレーム２３、前輪支持フレーム２４、後輪支持フレーム２５及び背もたれフレーム２６を主要部材として成るものである。
【００１６】
前記本体水平フレーム２１は、矩形枠状のフレームが水平に姿勢設定されて設けられるものであり、この前辺部においてチェア本体１の下辺部１４を支持する。この本体水平フレーム２１の左右後方側には直線棒状パイプの上部をほぼ直角に曲げ形成してグリップ２２Ａとした手押しフレーム２２が、それぞれ中央よりやや下方寄りにおいて、回動自在に設けられるものであり、折り畳み式ベビーカーＡとしての使用状態では、やや後側に傾倒した姿勢に設定される。また前記本体水平フレーム２１の下方には、平面視で前方が開放したコの字状の脚部固定水平フレーム２３が水平に姿勢設定されて設けられる。
【００１７】
この脚部固定水平フレーム２３に対し前記手押しフレーム２２の下端が回動自在に接続されるとともに、前輪支持フレーム２４が直接的に回動自在に接続され、後輪支持フレーム２５がリンクプレート２８を介して間接的に回動自在に接続される。前輪支持フレーム２４及び後輪支持フレーム２５の上端は、ブラケット２１ｂにより前記本体水平フレーム２１の前方寄り下端に回動自在に接続されており、その開閉角度が拡縮自在とされている。またそれぞれ左右二本の前輪支持フレーム２４及び後輪支持フレーム２５の下端付近は、それぞれ補強ロッド２７Ｆ、２７Ｒで連結されている。また左右の前輪支持フレーム２４には、複数高さに調節孔２４ａが穿孔され、ここにフットレスト４が回動ピン４ａにより回動自在に係止されている。なお符号２４ｂで示す部材はフットレスト４の回動を制止するストッパである。前記フットレスト４は、前記調節孔２４ａの適宜位置に回動自在に係止でき、それに応じてストッパ２４ｂも適宜位置に係止することが可能である。
【００１８】
また後輪支持フレーム２５上方に設けられる符号２５ａで示す部材は、折り畳み式ベビーカーＡを折り畳んだ際にその姿勢を維持するための折畳固定フックであり、折り畳み式ベビーカーＡを折り畳んだ状態で、前輪支持フレーム２４上方に設けられる掛止ピン２４ｃに掛け止められる。
また前記手押しフレーム２２に対し、チェア本体１の上辺を支持する門状の背もたれフレーム２６が、リクライニング角度が調節自在なように本発明の特徴的部材であるリクライニングアジャスト機構５を介して設けられるものである。
【００１９】
上記リクライニングアジャスト機構５について詳細に説明する。前記手押しフレーム２２側部の中央高さ付近には、平板状のリクライニングアジャスト板５０が固定して設けられるものである。そしてこのリクライニングアジャスト板５０の下部には、背もたれフレーム２６の下端を上下にスライド自在に支持する上下スライド溝５１が設けられ、この上下スライド溝５１の後上方に対し、手押しフレーム２２の下端より上方を複数段階高さに係止するための段階係止溝５２が設けられている。なお本実施の形態では、この段階係止溝５２における係止溝５２ａは三段階に設定されている。また符号５３で示す部材は、リクライニングアジャスト板５０を補強的に支持するための補強フレームである。背もたれフレーム２６の係止は具体的には、背もたれフレーム２６の下端及びそのやや上方には、それぞれスタッドボルト状に係止ネジ５４Ａ、５４Ｂが固定して設けられており、これら係止ネジ５４Ａ、５４Ｂを前記上下スライド溝５１及び段階係止溝５２に嵌挿した状態で上方の係止ネジ５４Ａを段階係止溝５２の好みの高さの係止溝５２ａに係止させ、実質的にメネジ部材である固定ノブ５５Ａ、５５Ｂにより固定する。もちろんこの固定手段は、いわゆるクイックレリーズ機構等を適用することも好ましい。なおリクライニングアジャスト板５０の着座者側の位置の手押しフレーム２２には、例えば着座者が上下スライド溝５１及び段階係止溝５２に指を挟むことがないようにするための保護板５６が設けられる。
【００２０】
次に走行体３について説明する。走行体３は、タイヤタイプのものを用いるものであり、前記左右の前輪支持フレーム２４の下端にそれぞれ双輪キャスター状の前輪３０が設けられ、前記左右の後輪支持フレーム２５の下端にそれぞれ後輪３５が設けられる。
前輪３０は、一対の車輪３１を車軸３２で連結し、この車軸３２を車軸受け３３で回転自在に支持してこの車軸受け３３を前輪支持フレーム２４の下端に水平方向に回転自在に取り付ける。車軸受け３３にはロック片３４が設けられ、これを前輪支持フレーム２４に上下に揺動自在に設けられる略Ｕ字形の回動規制環２４ｄによってこのロック片３４をホールドして、前輪３０が直進姿勢を維持するように構成されている。一方、後輪３５は単輪で構成されるもので、後輪支持フレーム２５の下端に設けられた補強ロッド２７Ｒの両端を実質的に支軸として兼用し、このものに対し回転自在に支持される。後輪３５の内面側には後輪３５の回転をロックする際に使用されるロック溝３６が形成されている。
【００２１】
次にチェア本体１について説明する。チェア本体１は、座面１０Ａと背もたれ面１０Ｂを有し、可撓シート部材で全体としてバケット状に形成されるものであり、側面部１０Ｃ上縁は、シート部材の上辺部１３と下辺部１４との間で緊張状態に設定されている。チェア本体１は全体的に表面側の布と背面側の面状ファスナの雌側のループ部材との間に弾性部材を挟んでキルティング状に縫製したものを用いている。
【００２２】
チェア本体１の下辺部１４には複数本に分かれた下辺固定用面状ファスナ１４ａが設けられており、本体水平フレーム２１の前方辺の保形芯材２１ａに巻回して座面１０Ａの裏面に係着する。チェア本体１の側面部１０Ｃ上辺には、側面部１０Ｃ上辺の緊張状態を得やすいように補強ベルト１９が張設されており、この補強ベルト１９の先端にも本体水平フレーム２１に巻回して係着を行うための面状ファスナ１９ａが設けられている。
一方チェア本体１の上辺部１３は、背もたれフレーム２６の上部に水平に架設された保形芯材２６ａに固定して設けられる。なおこの保形芯材２６ａは、図３において併せ示す平面図で示すように中央部が後方に退去するように湾曲形成されているため、チェア本体１の身体の包み込み性が強く、特に着座者の肩付近の支持にも優れている。座面１０Ａの裏面には引っ張りシート１１が設けられ、これを引っ張りコイルスプリング１２によって後下方へ引っ張っている。
【００２３】
また一例としてチェア本体１には上下二つのシートベルトが設けられるものであり、下部シートベルト１７は、腰部付近を留めるものであり、左右のベルトをバックル１７ａにて連結するタイプのものを用いる。一方、上部シートベルト１６は、腹部から胸部を留めるものであり、左右のベルトを面状ファスナ１６ａにて連結するタイプのものを用いるものでる。上部シートベルト１６は、本実施の形態では、高さ調節自在とするものであり、チェア本体１の背もたれ面１０Ｂには上下方向に二本の調節スリット１５が平行に開口されており、ここに上部シートベルト１６の基端側が挿入されて位置調節自在に固定される。上部シートベルト１６は、左右のベルトのそれぞれ自由端側に面状ファスナ１６ａのフック部材とループ部材のいずれかが設けられ、これらを重ねて左右のベルトが連結可能とされている。一方、上部シートベルト１６の左右のベルトの基端側にはそれぞれ両面に面状ファスナ１６ｂのフック部材とループ部材が設けられている。左右の上部シートベルト１６の基端側の固定は、図５に示すように前記調節スリット１５に挿入した上で、背もたれ面１０Ｂ裏面に貼り付け、調節スリット１５を覆うように設けられる面状ファスナのループ部材である背面固定覆い面状ファスナ１８を上から係着することにより固定される。
【００２４】
更にフレーム部材２に付設される付設部材について説明する。
まずブレーキ機構６について説明する。後輪支持フレーム２５の下部にはブラケット６０により回動軸６１が回動自在に架設され、この両端には前記後輪３５のロック溝３６へ嵌挿される回転停止片６２が設けられ、片端には操作レバー６３が設けられる。操作レバー６３は、後輪支持フレーム２５の下部に回動自在に設けられた案内溝６４ａを有する案内板６４により操作角度が規制されるものであり、且つ引っ張りコイルスプリング６５により、ロック状態および解除状態が維持されるように構成されている。操作レバー６３は、本実施の形態では、前側に倒すと後輪３５がロックされ、後側に倒すとロックが解除されるように構成されている。
【００２５】
次に折り畳み式ベビーカーＡが展開された状態で、その姿勢を維持するような展開姿勢維持機構７について説明する。すなわち左右の手押しフレーム２２の下端には、左右の後輪支持フレーム２５に設けられた係止ピン７４に掛け止めするための固定フック板７０が回動自在に設けられる。固定フック板７０の基端部は、連結ロッド７１で連結されている。一方、この固定フック板７０を操作するための操作レバー板７２が右側の手押しフレーム２２に設けられ、この操作レバー板７２と、前記連結ロッド７１とを操作中継ロッド７３で連結するものであり、操作中継ロッド７３の一端が前記連結ロッド７１に対し回動自在に連結され、他端が前記操作レバー板７２の摺動溝７２ａに係止されている。
以上のようにして成り、幼児等を乗せ、折り畳み式ベビーカーＡを展開した状態では、固定フック板７０を係止ピン７４に掛け止めた状態として使用する。なお固定フック板７０は、引っ張りコイルスプリング７５により係止ピン７４側に掛け止めされるように常時付勢されている。
【００２６】
以上のようにして成る折り畳み式ベビーカーＡは、チェア本体１が布だけで構成されること、及びリクライニングアジャスト機構５が、リクライニングアジャスト板５０を主要部材とした軽い構造のもののため、総重量が非常に軽いものに構成されている。
【００２７】
本発明の折り畳み式ベビーカーＡの一例は以上のような具体的形態を有するものであって、以下この作動態様を説明する。
（１）展開使用状態の説明
まず折り畳み式ベビーカーＡの幼児を乗せる展開使用状態について説明する。この状態では、折り畳み式ベビーカーＡは本体水平フレーム２１及び脚部固定水平フレーム２３が上下にほぼ水平に位置し、手押しフレーム２２は垂直よりもやや後方に傾倒した姿勢をしている。前輪支持フレーム２４及び後輪支持フレーム２５は、開脚した状態で、前輪３０及び後輪３５が四隅に位置している。また展開姿勢維持機構７により展開姿勢を維持するものであり、折り畳み式ベビーカーＡの右側部に位置した操作レバー６３を前方に倒した状態とし、固定フック板７０のフック部を係止ピン７４に掛け止める。またフットレスト４を張り出した状態として、ストッパ２４ｂに係止する。なお手押しフレーム２２から手を放すような状態では、ブレーキ機構６により走行体３が走行しないようにするものであり、折り畳み式ベビーカーＡの左面の操作レバー６３を前方に倒して回転停止片６２を後輪３５のロック溝３６に嵌挿して、ロックする。
【００２８】
以上のような折り畳み式ベビーカーＡの展開状態では、チェア本体１は、いわゆるフルバケットシートの完全な形態をしているものであり、中央部は、後方へ向かって湾曲しており、側面部１０Ｃ上縁は、シート部材上辺部１３と下辺部１４との間で緊張状態に設定されており、着座者の体がチェア本体１にすっぽりおさまり、サイドサポートが強く、横には倒れにくい状態となる。なお身長等によってチェア本体１の後方への湾曲を調節する場合には、チェア本体１の下辺部１４の本体水平フレーム２１前辺の保形芯材２１ａへの巻設位置を変更するものであり、この変更は下辺固定用面状ファスナ１４ａを剥がして巻回個所を変更して再度係着するのみであるため、簡単に変更することが可能である。また安全のためシートベルトを締めるものであり、乳児のような場合には上部シートベルト１６及び下部シートベルト１７を締め、２、３歳児等の大きな子の場合には、上部シートベルト１６を省略することが可能である。なお上部シートベルト１６を締めない場合には、上部シートベルト１６は垂れ下がった状態であるが、この場合においても上部シートベルト１６の先端はバックル１７ａではなく、面状ファスナ１６ａであるため、身体に当接して着座者に不快感を与えることがない。
【００２９】
（２）リクライニングアジャスト機構の説明
チェア本体１の背もたれ面１０Ｂの傾倒角度を調節するには、左右の固定ノブ５５Ａ、５５Ｂ四つをゆるめて背もたれフレーム２６を持ち、段階係止溝５２に嵌挿されている係止ネジ５４Ａが所望の高さの係止溝５２ａに係止されるように案内する。これに伴い上下スライド溝５１に嵌挿されている係止ネジ５４Ｂも自動的にスライド移動される。係止ネジ５４Ａを上の係止溝５２ａに係止するほど図９に示すように背もたれ面１０Ｂの傾斜角度は、起立状態に近くなり、下の係止溝５２ａに係止するほど背もたれ面１０Ｂの傾斜角度は、寝た状態に近くなる。
【００３０】
（３）折り畳み操作の説明
次にベビーチェアの折り畳み操作について説明する。例えば車等に乗る必要があり、ベビーチェアを折り畳む際には、展開姿勢維持機構７を解除するものであり、操作レバー板７２を後側に傾倒して固定フック板７０のフックを係止ピン７４から外す。また適宜ブレーキ機構６により後輪３５をロックする。
以上のような折り畳む前の準備を行った後、手押しフレーム２２と、本体水平フレーム２１の前辺である保形芯材２１ａとをそれぞれ左手と右手で持ち、保形芯材２１ａを手押しフレーム２２側へ近づけるように折り畳む。折り畳んだ状態で折畳固定フック２５ａを掛止ピン２４ｃに掛け止めて、折り畳み状態で固定する。この折り畳み状態においても、手押しフレーム２２は、展開使用状態と同じ位置であり、本体水平フレーム２１及び背もたれフレーム２６は垂直に近い角度に位置される。また前輪支持フレーム２４と後輪支持フレーム２５は、間隔が狭まり閉じた状態となる。そして折り畳み式ベビーカーＡは、後輪３５と脚部固定水平フレーム２３の後辺とが接地して折り畳まれた起立状態となる。このような折り畳み状態では、通常の体格の大人であれば、図８において仮想線で示されるようにチェア本体１の背面側を体の側部に位置させ、手でフットレスト４の先端を持ち、脇の下に抱え持つようにすることができ、持ち運びがし易い。
【００３１】
【他の実施の形態】
本発明の基本的な実施の形態は以上のようであるが、その他種々の改変が行い得る。
例えば走行体３としては、砂地や凹凸道を容易に走破できるように、大径、大幅のバルーンタイヤを用いるようにしてもよい。また折り畳み式ベビーカーＡにより、そのまま川やプール等へ入水し、水遊びできるように走行体を中空体等の水に浮く構造のもので構成してもよく、またこの場合前記バルーンタイヤを浮水力のあるもので構成してもよい。
【００３２】
またリクライニングアジャスト機構５としては、前記リクライニングアジャスト板５０を用いたものの他、図１０に示されるような、可動スリーブ形態のものを用いるようにしても構わない。すなわち手押しフレーム２２に対して下部可動スリーブ５８Ｂが摺動自在に係止され、これに対し背もたれフレーム２６下端が回動自在に接続されている。一方、手押しフレーム２２の上方部と下方部とを連結する弓状のサブメンバー５７が設けられ、ここに上部可動スリーブ５８Ａが摺動自在に嵌挿されるとともに、前記背もたれフレーム２６に対し長手方向へ摺動自在に係止されている。サブメンバー５７には、同図拡大図に示すように複数個所に係止溝５７ａが設けられており、ここに嵌まる係止爪５８ｐが前記上部可動スリーブ５８Ａには設けられている。なおこの係止爪５８ｐは、圧縮コイルスプリング５８ｓにより常時サブメンバー５７へ付勢されるものであり、これを引っ込めた状態に操作することのできる操作レバー５９が背もたれフレーム２６の上部に設けられている。この操作レバー５９と、前記係止爪５８ｐとが操作ケーブル５９Ｃにより接続されている。この操作ケーブル５９Ｃは、ワイヤケーブル５９Ｃａの外部を保護及び案内用のチューブ状のアウターケーブル５９Ｃｂで覆われており、このアウターケーブル５９Ｃｂは一端は操作レバー５９に固定され、他端が上部可動スリーブ５８Ａに固定されている。
【００３３】
【発明の効果】
請求項１記載の折り畳み式ベビーカーによれば、着座者が座るチェア本体１が可撓シート部材のみで形成されているため、折り畳み式ベビーカーＡの総重量が軽くなる。更にチェア本体１は、バケット状であるため、身体を包み込みサポート性に優れる。また特にチェア本体１の上辺部１３の保形芯材２６ａ中央部が後方に退去するように湾曲形成されているため、より身体の包み込みが強く、着座者の肩付近の支持にも優れる。
【００３４】
また請求項２記載の折り畳み式ベビーカーによれば、側面部１０Ｃ上縁は、シート部材上辺部１３と下辺部１４との間で緊張状態に設定されているため、着座者のサイドサポート性に優れる。
【００３５】
更に請求項３記載の折り畳み式ベビーカーによれば、チェア本体１の下辺部１４には面状ファスナ（下辺固定用面状ファスナ１４ａ、面状ファスナ１９ａ）が設けられており、下辺部１４を保形芯材２１ａに巻回した上でチェア本体１の裏面に張設された面状ファスナに係着して固定するものであり、下辺部１４の巻回位置でチェア本体１の座長が調節自在であるため、着座者の伸長に応じてチェア本体１の座長を変更することが容易に行い得るものであり、着座者の体格に対応したバケット形状を形成できる。
【００３６】
更にまた請求項４記載の折り畳み式ベビーカーによれば、上下段に二本のシートベルトが設けられるため、確実なサポートが行い得る。また上部シートベルト１６は、チェア本体１に固定される基端部が面状ファスナ１６ｂによって係着されるものであるため、簡単で細かな高さ調節が可能である。更に上部シートベルト１６の締結は、それぞれ先端に設けられた面状ファスナ１６ａを互いに係着することにより行われるものであるため、基端部の止め位置により上部シートベルト１６の長さが変わっても特別にベルトの長さ調節を行う必要がない。
【００３７】
更にまた請求項５記載の折り畳み式ベビーカーによれば、チェア本体１と、自立移動可能な走行体３と、この走行体３とチェア本体１とを組み合わせ支持するフレーム部材２とを具えて成り、前記チェア本体１の上辺部１３は、背もたれフレーム２６の保形芯材２６ａに固定されるものであり、この背もたれフレーム２６は、全体が移動して傾倒角度自在に支持されることによりチェア本体１の背もたれ面１０Ｂの傾倒角度が調節可能であるものであり、複雑なリクライニングアジャスト機構を具えないため、折り畳み式ベビーカーＡの総重量を軽くできる。
【００３８】
更にまた請求項６記載の折り畳み式ベビーカーによれば、背もたれフレーム２６は、門型に形成されたものであり、左右の縦フレーム部位にそれぞれ上下に係止ネジ５４Ａ、５４Ｂが固定されており、これら係止ネジ５４Ａ、５４Ｂがリクライニングアジャスト板５０の上下スライド溝５１及び段階係止溝５２に嵌挿されるものであり、下方の係止ネジ５４Ｂは上下に長孔の上下スイライド溝に嵌挿され、上方の係止ネジ５４Ａは複数高さで且つ係止位置が前後方向に異なる係止溝５２ａを有する段階係止溝５２に嵌挿されるものであり、リクライニングアジャスト機構５が極めてシンプルな構造であるため、総重量を軽くできるとともに、安価な実施ができ、更に故障も生じにくい。
【００３９】
更にまた請求項７記載の折り畳み式ベビーカーによれば、着座者が座るチェア本体１が可撓シート部材のみで形成されているため、折り畳み式ベビーカーＡの総重量が軽くなる。更にチェア本体１は、バケット状であるため、身体を包み込みサポート性に優れる。また特にチェア本体１の上辺部１３の保形芯材２６ａ中央部が後方に退去するように湾曲形成されているため、より身体の包み込みが強く、着座者の肩付近の支持にも優れる。
【図面の簡単な説明】
【図１】本発明の折り畳み式ベビーカーの使用状態を示す斜視図である。
【図２】同上側面図である。
【図３】同上正面図である。
【図４】チェア本体を示す斜視図である。
【図５】同上、上部シートベルトの背面固定前後の状態を比較して示す背面図である。
【図６】展開姿勢維持機構を示す分解斜視図である。
【図７】ブレーキ機構を示す分解斜視図である。
【図８】折り畳み式ベビーカーの折り畳んだ状態を示す側面図である。
【図９】リクライニングアジャスト機構によって背もたれ面の傾斜角度を調節する様子を示す側面図である。
【図１０】リクライニングアジャスト機構の構成を異ならせた他の実施の形態を示す側面図である。
【符号の説明】
Ａ　　　　折り畳み式ベビーカー
１　　　　チェア本体
１０Ａ　　座面
１０Ｂ　　背もたれ面
１０Ｃ　　側面部
１１　　　引っ張りシート
１２　　　引っ張りコイルスプリング
１３　　　上辺部
１４　　　下辺部
１４ａ　　下辺固定用面状ファスナ
１５　　　調節スリット
１６　　　上部シートベルト
１６ａ　　面状ファスナ
１６ｂ　　面状ファスナ
１７　　　下部シートベルト
１７ａ　　バックル
１８　　　背面固定覆い面状ファスナ
１９　　　補強ベルト
１９ａ　　面状ファスナ
２　　　　フレーム部材
２１　　　本体水平フレーム
２１ａ　　保形芯材
２１ｂ　　ブラケット
２２　　　手押しフレーム
２２Ａ　　グリップ
２３　　　脚部固定水平フレーム
２４　　　前輪支持フレーム
２４ａ　　調節孔
２４ｂ　　ストッパ
２４ｃ　　掛止ピン
２４ｄ　　回動規制環
２５　　　後輪支持フレーム
２５ａ　　折畳固定フック
２６　　　背もたれフレーム
２６ａ　　保形芯材
２７Ｆ　　補強ロッド
２７Ｒ　　補強ロッド
２８　　　リンクプレート
３　　　　走行体
３０　　　前輪
３１　　　車輪
３２　　　車軸
３３　　　車軸受け
３４　　　ロック片
３５　　　後輪
３６　　　ロック溝
４　　　　フットレスト
４ａ　　　回動ピン
５　　　　リクライニングアジャスト機構
５０　　　リクライニングアジャスト板
５１　　　上下スライド溝
５２　　　段階係止溝
５２ａ　　係止溝
５３　　　補強フレーム
５４Ａ　　係止ネジ
５４Ｂ　　係止ネジ
５５Ａ　　固定ノブ
５５Ｂ　　固定ノブ
５６　　　保護板
５７　　　サブメンバー
５７ａ　　係止溝
５８ｐ　　係止爪
５８ｓ　　圧縮コイルスプリング
５８Ａ　　上部可動スリーブ
５８Ｂ　　下部可動スリーブ
５９　　　操作レバー
５９Ｃ　　操作ケーブル
５９Ｃａ　ワイヤケーブル
５９Ｃｂ　アウターケーブル
６　　　　ブレーキ機構
６０　　　ブラケット
６１　　　回動軸
６２　　　回転停止片
６３　　　操作レバー
６４　　　案内板
６４ａ　　案内溝
６５　　　引っ張りコイルスプリング
７　　　　展開姿勢維持機構
７０　　　固定フック板
７１　　　連結ロッド
７２　　　操作レバー板
７２ａ　　摺動溝
７３　　　操作中継ロッド
７４　　　係止ピン
７５　　　引っ張りコイルスプリング
【図１】
2004114834.tif 000003
【図２】
2004114834.tif 000004
【図３】
2004114834.tif 000005
【図４】
2004114834.tif 000006
【図５】
2004114834.tif 000007
【図６】
2004114834.tif 000008
【図７】
2004114834.tif 000009
【図８】
2004114834.tif 000010
【図９】
2004114834.tif 000011
【図１０】
2004114834.tif 000012